(57)【要約】【課題】箱部の強度を低下させることなく、オス端子の幅方向の位置ずれを抑制することができるメス端子を提供する。【解決手段】メス端子１は、オス端子２の挿入方向と反対側に開口し、開口１１を介してオス端子２のタブ部３０が挿入される箱部１０を備える。箱部１０は、開口１１から挿入方向に延在し、タブ部３０が挿入された挿入状態でタブ部３０に対して弾性接触する弾性片１６を有する。弾性片１６は、挿入方向の自由端側に形成され、挿入状態でタブ部３０に接触する接点部１６ａと、接点部１６ａを挟んで挿入方向と直交する幅方向の両端に設けられ、挿入状態でタブ部３０を挟んで幅方向にタブ部３０と対向する一対の位置ずれ規制部１６ｂ,１６ｃとを有する。【選択図】図２
2020087805.tif 000002
【特許請求の範囲】
【請求項１】
オス端子の挿入方向と反対側に開口し、前記開口を介して前記オス端子の平板状のタブ部が挿入される箱部を備え、
前記箱部は、
前記開口から前記挿入方向に延在し、前記タブ部が挿入された挿入状態で前記タブ部に対して弾性接触する弾性片を有し、
前記弾性片は、
前記挿入方向の自由端側に形成され、前記挿入状態で前記タブ部に接触する接点部と、
前記接点部を挟んで前記挿入方向と直交する幅方向の両端に設けられ、前記挿入状態で前記タブ部を挟んで前記幅方向に前記タブ部と対向する一対の位置ずれ規制部と、
を有することを特徴とするメス端子。
【請求項２】
一対の前記位置ずれ規制部は、
前記タブ部を前記幅方向に挟んで前記挿入方向に突き抜けさせた状態で、前記挿入方向と反対側に向けて幅方向に広くなるように形成される、
請求項１に記載のメス端子。
【発明の詳細な説明】
【技術分野】
【０００１】
本発明は、メス端子に関する。
【背景技術】
【０００２】
従来、ワイヤハーネス同士の接続には、オスコネクタとメスコネクタが利用される。メスコネクタ側のメス端子とオスコネクタ側のオス端子とが嵌合することにより、ワイヤハーネス同士が電気的に接続される。メス端子には、オス端子が挿入される箱部を有し、挿入されたオス端子を箱部の内壁と弾性片とで挟持する構造を有するものがある。この場合、メス端子の箱部内にオス端子のタブ部が挿入されると、箱部内の弾性接触片がタブ部を上下方向における上方に向けて弾性接触すると共に、箱部内の一対の位置ずれ規制片がタブ部を幅方向から弾性接触するように構成されるメス端子がある（特許文献１参照）。
【先行技術文献】
【特許文献】
【０００３】
【特許文献１】特開２０１４−０５３０７６号公報
【発明の概要】
【発明が解決しようとする課題】
【０００４】
ところで、上述した位置ずれ規制片は、箱部を構成する側壁をＵ字状に切り抜いて形成されることから、メス端子の箱部の強度が低下して、外力により箱部が変形してしまうおそれがある。
【０００５】
本発明は、上記課題に鑑みて成されたものであり、箱部の強度を低下させることなく、オス端子の幅方向の位置ずれを抑制することができるメス端子を提供することを目的とする。
【課題を解決するための手段】
【０００６】
上記目的を達成するために、本発明に係るメス端子は、オス端子の挿入方向と反対側に開口し、前記開口を介して前記オス端子の平板状のタブ部が挿入される箱部を備え、前記箱部は、前記開口から前記挿入方向に延在し、前記タブ部が挿入された挿入状態で前記タブ部に対して弾性接触する弾性片を有し、前記弾性片は、前記挿入方向の自由端側に形成され、前記挿入状態で前記タブ部に接触する接点部と、前記接点部を挟んで前記挿入方向と直交する幅方向の両端に設けられ、前記挿入状態で前記タブ部を挟んで前記幅方向に前記タブ部と対向する一対の位置ずれ規制部と、を有することを特徴とする。
【０００７】
上記メス端子において、一対の前記位置ずれ規制部は、前記タブ部を前記幅方向に挟んで前記挿入方向に突き抜けさせた状態で、前記挿入方向と反対側に向けて幅方向に広くなるように形成される、ものである。
【発明の効果】
【０００８】
本発明に係るメス端子によれば、箱部の強度を低下させることなく、オス端子の幅方向の位置ずれを抑制することができる、という効果を奏する。
【図面の簡単な説明】
【０００９】
【図１】図１は、実施形態に係るメス端子の概略構成を示す斜視図である。
【図２】図２は、実施形態に係るメス端子の概略構成を示す正面図である。
【図３】図３は、実施形態に係るメス端子とオス端子の嵌合状態を示す斜視図である。
【図４】図４は、実施形態に係るメス端子の要部を拡大した横断面図である。
【図５】図５は、実施形態に係るメス端子の要部を拡大した縦断面図である。
【発明を実施するための形態】
【００１０】
以下に、本発明に係るメス端子の実施形態について図面を参照しつつ詳細に説明する。なお、下記の実施形態により本発明が限定されるものではない。また、下記の実施形態における構成要素には、当業者が置換可能かつ容易なもの、あるいは実質的に同一のものが含まれる。
【００１１】
［実施形態］
本実施形態に係るメス端子について図１〜図５を参照して説明する。なお、以下の説明において、図１〜図５に示すＸ方向は、本実施形態のメス端子に挿入されるオス端子の挿抜方向である。特に、Ｘ１方向が挿抜方向における挿入方向、Ｘ２方向が挿抜方向における抜去方向である。Ｙ方向は、本実施形態におけるメス端子の幅方向である。Ｚ方向は、本実施形態におけるメス端子の上下方向である。ここで、Ｘ方向、Ｙ方向、及びＺ方向は、相互に直交する。なお、上下方向は鉛直方向に限られない。
【００１２】
本実施形態に係るメス端子１は、金属製のコネクタ端子であり、樹脂製のメスコネクタ（不図示）に収容される。メス端子１は、金属板を打ち抜いて折り曲げ加工等をすることにより成形される。メス端子１は、例えば、銅、銅合金、アルミニウム、アルミニウム合金等によって構成される。メス端子１は、オスコネクタ（不図示）側のオス端子２と嵌合して電気的に接続される。
【００１３】
オス端子２は、金属製のコネクタ端子であり、樹脂製のオスコネクタ（不図示）に収容される。オス端子２は、金属板を打ち抜いて折り曲げ加工等をすることにより成形される。オス端子２は、メス端子１と同様に、例えば、銅、銅合金、アルミニウム、アルミニウム合金等によって構成される。オス端子２は、図３に示すように、タブ部３０と、箱部３１と、バレル部３２とを備える。オス端子２は、挿入方向側の先端から抜去方向に向かって、タブ部３０、箱部３１、バレル部３２の順に並んで連結して構成される。タブ部３０は、箱部３１の挿入方向の端部から挿入方向に向けて延在して形成され、メス端子１に挿入される部分である。箱部３１は、オス端子２がコネクタに収容された状態において、コネクタハウジング（不図示）に固定保持される部分である。バレル部３２は、オス端子２と電線（不図示）の端末とを電気的に接続する部分である。バレル部３２は、電線の端末に加締められ圧着される。
【００１４】
メス端子１は、図１及び図３に示すように、箱状の箱部１０と、バレル部２０とを備える。メス端子１は、挿入方向に向かって、箱部１０、バレル部２０の順に連結して構成される。ここで、バレル部２０は、メス端子１と電線の端末とを電気的に接続する部分である。バレル部２０は、電線の端末に加締められ圧着される。
【００１５】
箱部１０は、メス端子１がメスコネクタに収容された収容状態において、コネクタハウジング（不図示）に固定保持される部分である。箱部１０は、図２〜図５に示すように、オス端子２の挿入方向と反対側に開口する開口１１を有し、開口１１を介してオス端子２の平板状のタブ部３０が挿入される。箱部１０は、４つの壁部１２,１３,１４,１５を有する。４つの壁部１２,１３,１４,１５は、オス端子２のタブ部３０が挿入される収容空間部１７を形成する。箱部１０は、開口１１を介して収容空間部１７に挿入されたオス端子２のタブ部３０と嵌合する。４つの壁部１２,１３,１４,１５のうち、壁部１２,１３は、箱部１０の上下方向に対向して配置され、箱部１０の天井壁、底面壁を構成する。壁部１４,１５は、箱部１０の幅方向に対向して配置され、それぞれが箱部１０の側壁部を構成する。
【００１６】
本実施形態の壁部１２は、収容空間部１７に向けて突出して形成された複数の上方接触部１２ａ,１２ｂを有する。上方接触部１２ａ,１２ｂは、それぞれが壁部１２の挿抜方向に延在して形成され、壁部１２の幅方向に間隔をおいて配置される。上方接触部１２ａ,１２ｂは、箱部１０にオス端子２のタブ部３０が挿入された挿入状態で、タブ部３０に対向する位置に配置され、かつ当該タブ部３０に上下方向において接触する。
【００１７】
箱部１０は、開口１１から挿入方向に延在し、タブ部３０が挿入された挿入状態でタブ部３０に対して弾性接触する弾性片１６を有する。弾性片１６は、挿抜方向に延在して形成されており、抜去方向側の端部（以下、「基端」とも呼ぶ。）が開口１１側の壁部１３に連結され、挿入方向側の端部が自由端である。弾性片１６は、基端を支点とし、支点と反対方向の端部を自由端とする片持ち梁構造を有する。弾性片１６は、抜去方向側の端部が当該抜去方向と反対側の挿入方向に折り返されている。弾性片１６は、図２、図４、及び図５に示すように、接点部１６ａと、一対の位置ずれ規制部１６ｂ,１６ｃとを有する。
【００１８】
接点部１６ａは、弾性片１６の挿入方向の自由端側に形成され、箱部１０にタブ部３０が挿入された挿入状態でタブ部３０に接触する部分である。本実施形態の接点部１６ａは、収容空間部１７に向けて円状の部分が突出して形成される。接点部１６ａは、箱部１０にタブ部３０が挿入された挿入状態で、タブ部３０に上下方向において接触する。箱部１０は、タブ部３０が挿入された挿入状態で、当該タブ部３０を上方接触部１２ａ,１２ｂと接点部１６ａとの間で挟持する。
【００１９】
一対の位置ずれ規制部１６ｂ,１６ｃは、接点部１６ａを挟んで弾性片１６の挿入方向と直交する幅方向の両端に設けられ、箱部１０にタブ部３０が挿入された挿入状態でタブ部３０を挟んで幅方向にタブ部３０と対向するものである。本実施形態の各位置ずれ規制部１６ｂ,１６ｃは、弾性片１６において幅方向に延在する端部を上方に曲げ加工することにより成形される。一対の位置ずれ規制部１６ｂ,１６ｃは、図４、図５に示すように、タブ部３０を幅方向に挟んで挿入方向に突き抜けさせた状態で、挿入方向と反対側（抜去方向）に向けて幅方向に広くなるように形成される。一対の位置ずれ規制部１６ｂ,１６ｃは、箱部１０にタブ部３０が挿入された挿入状態で、挿入方向側の端部において幅方向に対向する部分がタブ部３０の幅方向の両端に接触するように形成される。例えば、一対の位置ずれ規制部１６ｂ,１６ｃは、挿入方向側の端部の間隔が、タブ部３０の幅と略同一になるように形成される。一方、一対の位置ずれ規制部１６ｂ,１６ｃは、挿入方向と反対側の端部の間隔が、挿入方向側の端部の間隔よりも広くなるように形成される。
【００２０】
次に、本実施形態のメス端子１とオス端子２の嵌合時の状態変化について図４、図５を参照して説明する。
【００２１】
まず、メス端子１に対してオス端子２の挿入が開始されると、タブ部３０が、上下方向において上方接触部１２ａ,１２ｂ及び接点部１６ａに接触する。このとき、タブ部３０が幅方向にずれた場合、一対の位置ずれ規制部１６ｂ,１６ｃのいずれか一方に接触する。
【００２２】
メス端子１に対するオス端子２の挿入が継続されると、タブ部３０が、上方接触部１２ａ,１２ｂ及び接点部１６ａを摺動しながら挿入方向へ移動する。このとき、タブ部３０が位置ずれ規制部１６ｂ,１６ｃのいずれか一方に接触している場合、タブ部３０は、接触している位置ずれ規制部１６ｂ（または１６ｃ）を摺動しながら挿入方向に移動する。
【００２３】
オス端子２の挿入方向への移動が終了すると、メス端子１に完全に挿入された完全挿入状態になる。完全挿入状態において、タブ部３０は、図４に示す幅方向のインデントセンターラインＣｈ及び図５に示す上下方向のインデントセンターラインＣｖ上で、上方接触部１２ａ,１２ｂと接点部１６ａにより上下方向で挟持され、かつ一対の位置ずれ規制部１６ｂ,１６ｃにより幅方向で挟持される。インデントセンターラインＣｈ,Ｃｖは、相互に直交する。このように、タブ部３０をインデントセンターライン上で幅方向に挟持することにより、例えば、車両の走行時等に振動が加わった際にタブ部３０と接点１６ａとの接触点の幅方向の相対的移動を抑制することができ、接触点での摺動による摩耗粉の発生を抑制することができる。
【００２４】
以上で説明した本実施形態に係るメス端子１は、オス端子２の挿入方向と反対側に開口し、開口１１を介してオス端子２のタブ部３０が挿入される箱部１０を備える。箱部１０は、開口１１から挿入方向に延在し、タブ部３０が挿入された挿入状態でタブ部３０に対して弾性接触する弾性片１６を有する。弾性片１６は、挿入方向の自由端側に形成され、挿入状態でタブ部３０に接触する接点部１６ａと、接点部１６ａを挟んで挿入方向と直交する幅方向の両端に設けられ、挿入状態でタブ部３０を挟んで幅方向にタブ部３０と対向する一対の位置ずれ規制部１６ｂ,１６ｃとを有する。上記構成により、位置ずれ規制部１６ｂ,１６ｃを、箱部１０の側壁（壁部１４,１５）を打ち抜いて形成することなく、弾性片１６の幅方向の両端部を曲げ加工することにより形成することができる。この結果、簡単な加工で位置ずれ規制部１６ｂ，１６ｃを成形することができ、箱部１０の強度を低下させることなく、オス端子２の幅方向の位置ずれを抑制することができる。また、タブ部３０と箱部１０との位置ずれを抑制することにより、タブ部３０と箱部１０との摺動による摩耗粉の発生を抑制して、電気的な接続の信頼性を維持、向上させることができる。また、位置ずれ規制部１６ｂ,１６ｃが箱部１０の壁部１４,１５に形成されている場合、例えば、箱部１０が外力により塑性変形した状態でメス端子１がコネクタハウジングに収容されると、コネクタ間の嵌合による嵌合力が大きくなってしまうおそれがある。この結果、コネクタ同士の嵌合時の作業性を損なう可能性があることから、良好な作業性を維持することができる。
【００２５】
また、本実施形態のメス端子１は、一対の位置ずれ規制部１６ｂ,１６ｃが、タブ部３０を幅方向に挟んで挿入方向に突き抜けさせた状態で、挿入方向と反対側に向けて幅方向に広くなるように形成される。これにより、箱部１０に挿入されたタブ部３０が幅方向にずれた場合でも、当該タブ部３０を弾性片１６の接点部１６ａに向けて（タブ部３０を適正な位置に向けて）確実に案内することが可能となる。
【００２６】
なお、上記実施形態では、弾性片１６は、１つの接点部１６ａを有するが、これに限定されるものではなく、接点部１６ａの周囲に接点部１６ａと異なる接点部を１つ乃至複数設けてもよい。
【００２７】
また、メス端子１は、上述した実施形態に限定されず、特許請求の範囲に記載された範囲で種々の変更が可能である。本実施形態に係る金属端子、及び、端子付き電線は、以上で説明した各実施形態、変形例の構成要素を適宜組み合わせることで構成してもよい。
【符号の説明】
【００２８】
１  メス端子
２  オス端子
１０  箱部
１１  開口
１２,１３,１４,１５  壁部
１２ａ,１２ｂ  上方接触部
１６  弾性片
１６ａ  接点部
１６ｂ,１６ｃ  位置ずれ規制部
１７  収容空間部
２０  バレル部
３０  タブ部
３１  箱部
３２  バレル部
【図１】
2020087805.tif 000003
【図２】
2020087805.tif 000004
【図３】
2020087805.tif 000005
【図４】
2020087805.tif 000006
【図５】
2020087805.tif 000007